Podtech/llm-jp-corpus-v4-ja_patent huggingface dataset:
【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
偏光子とλ／４位相差フィルムとが積層された有機エレクトロルミネッセンス表示装置用円偏光板であって、前記λ／４位相差フィルムの遅相軸と前記偏光子の吸収軸とのなす角度が４５°であり、前記λ／４位相差フィルムの、前記λ／４位相差フィルムの遅相軸に対して偏光の電場振動面とのなす角度が４５°である直線偏光入射時の内部ヘイズ値が０．０１〜０．１％の範囲内である（ただし、延伸倍率が１．２５〜１．８倍の範囲内の斜め延伸λ／４位相差フィルムを除く。）ことを特徴とする有機エレクトロルミネッセンス表示装置用円偏光板。
【請求項２】
前記λ／４位相差フィルムが、下記式（１）及び式（２）を満足するセルロースエステルと、散乱体とボイドとを含有し、かつ前記散乱体の平均粒径（ｒ）と屈折率（ｎ）とが、下記式（３）及び式（４）とを満足することを特徴とする請求項１に記載の有機エレクトロルミネッセンス表示装置用円偏光板。
２．０≦Ｘ＋Ｙ≦３．０・・・・・式（１）
０．５≦Ｙ・・・・・・・・・・・式（２）
（式（１）及び式（２）中、Ｘはアセチル基置換度を表し、Ｙはプロピオニル基置換度とブチリル基置換度との和を表す。）
１００ｎｍ≦ｒ≦５００ｎｍ・・・式（３）
１．４＜ｎ＜１．４７・・・・・・式（４）
【請求項３】
前記散乱体が、表面処理シリカ分散物であることを特徴とする請求項２に記載の有機エレクトロルミネッセンス表示装置用円偏光板。
【請求項４】
前記λ／４位相差フィルムが、斜め延伸λ／４位相差フィルムであることを特徴とする請求項１〜３のいずれか一項に記載の有機エレクトロルミネッセンス表示装置用円偏光板。
【請求項５】
請求項１〜４のいずれか一項に記載の有機エレクトロルミネッセンス表示装置用円偏光板を有することを特徴とする有機エレクトロルミネッセンス表示装置。
【請求項６】
請求項１〜３のいずれか一項に記載のλ／４位相差フィルムを偏光子と積層して製造することを特徴とする有機エレクトロルミネッセンス表示装置用円偏光板の製造方法。
【手続補正２】
【補正対象書類名】明細書
【補正対象項目名】発明の名称
【補正方法】変更
【補正の内容】
【発明の名称】有機エレクトロルミネッセンス表示装置用円偏光板、それを有する有機エレクトロルミネッセンス表示装置及び有機エレクトロルミネッセンス表示装置用円偏光板の製造方法
【手続補正３】
【補正対象書類名】明細書
【補正対象項目名】０００１
【補正方法】変更
【補正の内容】
【０００１】
本発明は、有機エレクトロルミネッセンス表示装置用円偏光板、それを有する有機エレクトロルミネッセンス表示装置及び有機エレクトロルミネッセンス表示装置用円偏光板の製造方法に関する。
【手続補正４】
【補正対象書類名】明細書
【補正対象項目名】００１３
【補正方法】変更
【補正の内容】
【００１３】
本発明は、上記問題・状況に鑑みてなされたものであり、その解決課題は、外光反射が少なく表示の均一性に優れる有機エレクトロルミネッセンス表示装置用円偏光板を提供することである。また、上記有機エレクトロルミネッセンス表示装置用円偏光板を有する有機エレクトロルミネッセンス表示装置及び有機エレクトロルミネッセンス表示装置用円偏光板の製造方法を提供することである。
【手続補正５】
【補正対象書類名】明細書
【補正対象項目名】００１５
【補正方法】変更
【補正の内容】
【００１５】
すなわち、本発明に係る上記課題は、以下の手段により解決される。
１．偏光子とλ／４位相差フィルムとが積層された有機エレクトロルミネッセンス表示装置用円偏光板であって、前記λ／４位相差フィルムの遅相軸と前記偏光子の吸収軸とのなす角度が４５°であり、前記λ／４位相差フィルムの、前記λ／４位相差フィルムの遅相軸に対して偏光の電場振動面とのなす角度が４５°である直線偏光入射時の内部ヘイズ値が０．０１〜０．１％の範囲内である（ただし、延伸倍率が１．２５〜１．８倍の範囲内の斜め延伸λ／４位相差フィルムを除く。）ことを特徴とする有機エレクトロルミネッセンス表示装置用円偏光板。
【手続補正６】
【補正対象書類名】明細書
【補正対象項目名】００１６
【補正方法】変更
【補正の内容】
【００１６】
２．前記λ／４位相差フィルムが、下記式（１）及び式（２）を満足するセルロースエステルと、散乱体とボイドとを含有し、かつ前記散乱体の平均粒径（ｒ）と屈折率（ｎ）とが、下記式（３）及び式（４）とを満足することを特徴とする第１項に記載の有機エレクトロルミネッセンス表示装置用円偏光板。
２．０≦Ｘ＋Ｙ≦３．０・・・・・式（１）
０．５≦Ｙ・・・・・・・・・・・式（２）
（式（１）及び式（２）中、Ｘはアセチル基置換度を表し、Ｙはプロピオニル基置換度とブチリル基置換度との和を表す。）
１００ｎｍ≦ｒ≦５００ｎｍ・・・式（３）
１．４＜ｎ＜１．４７・・・・・・式（４）
３．前記散乱体が、表面処理シリカ分散物であることを特徴とする前記２項に記載の有機エレクトロルミネッセンス表示装置用円偏光板。
４．前記λ／４位相差フィルムが、斜め延伸λ／４位相差フィルムであることを特徴とする前記１〜３項のいずれか一項に記載の有機エレクトロルミネッセンス表示装置用円偏光板。
５．前記１〜４項のいずれか一項に記載の有機エレクトロルミネッセンス表示装置用円偏光板を有することを特徴とする有機エレクトロルミネッセンス表示装置。
６．前記１〜３項のいずれか一項に記載のλ／４位相差フィルムを偏光子と積層して製造することを特徴とする有機エレクトロルミネッセンス表示装置用円偏光板の製造方法。
【手続補正７】
【補正対象書類名】明細書
【補正対象項目名】００１７
【補正方法】変更
【補正の内容】
【００１７】
本発明の上記手段により、外光反射が少なく表示の均一性に優れる有機エレクトロルミネッセンス表示装置用円偏光板を提供することができる。また、上記有機エレクトロルミネッセンス表示装置用円偏光板を有する有機エレクトロルミネッセンス表示装置及び有機エレクトロルミネッセンス表示装置用円偏光板の製造方法を提供することができる。
【手続補正８】
【補正対象書類名】明細書
【補正対象項目名】００２０
【補正方法】変更
【補正の内容】
【００２０】
本発明の有機エレクトロルミネッセンス表示装置用円偏光板は、偏光子とλ／４位相差フィルムとが積層された有機エレクトロルミネッセンス表示装置用円偏光板であって、前記λ／４位相差フィルムの遅相軸と前記偏光子の吸収軸とのなす角度が４５°であり、前記λ／４位相差フィルムの、前記λ／４位相差フィルムの遅相軸に対して偏光の電場振動面とのなす角度が４５°である直線偏光入射時の内部ヘイズ値が０．０１〜０．１％の範囲内である（ただし、延伸倍率が１．２５〜１．８倍の範囲内の斜め延伸λ／４位相差フィルムを除く。）ことを特徴とする。この特徴は、請求項１から請求項６までの請求項に係る発明に共通する技術的特徴である。
【手続補正書】
【提出日】平成29年10月6日(2017.10.6)
【手続補正１】
【補正対象書類名】特許請求の範囲
【補正対象項目名】請求項１
【補正方法】変更
【補正の内容】
【請求項１】
車両の動力源となるエンジン（１１）と、該エンジンに接続された変速機（１２）とを備え、前記エンジンの出力軸の軸方向が前記車両の左右方向となるように前記エンジン及び前記変速機が横置きで配置された車両の駆動装置において、
前記車両の動力源となるモータジェネレータ（以下「ＭＧ」と表記する）（１６）と、
該ＭＧに接続された減速機（１７）とを備え、
前記エンジン及び前記変速機が収容されたエンジンルームの外側に前記ＭＧ及び前記減速機の少なくとも一部を配置し、更に前記減速機の出力軸の軸方向が前記車両の前後方向となるように配置され、前記変速機の出力軸の動力を車輪（１５）の駆動軸（１４）に伝達する動力伝達系に前記減速機の出力軸が動力伝達可能に連結されていることを特徴とする車両の駆動装置。
【手続補正２】
【補正対象書類名】明細書
【補正対象項目名】０００６
【補正方法】変更
【補正の内容】
【０００６】
上記課題を解決するために、請求項１に係る発明は、車両の動力源となるエンジン（１１）と、該エンジンに接続された変速機（１２）とを備え、エンジンの出力軸の軸方向が車両の左右方向となるようにエンジン及び変速機が横置きで配置された車両の駆動装置において、車両の動力源となるモータジェネレータ（以下「ＭＧ」と表記する）（１６）と、該ＭＧに接続された減速機（１７）とを備え、エンジン及び変速機が収容されたエンジンルームの外側にＭＧ及び減速機の少なくとも一部を配置し、更に減速機の出力軸の軸方向が車両の前後方向となるように配置され、変速機の出力軸の動力を車輪（１５）の駆動軸（１４）に伝達する動力伝達系に減速機の出力軸が動力伝達可能に連結されている構成としたものである。
【手続補正書】
【提出日】平成29年4月18日(2017.4.18)
【手続補正１】
【補正対象書類名】明細書
【補正対象項目名】発明の名称
【補正方法】変更
【補正の内容】
【発明の名称】頭蓋内出血の治療のための方法および装置
【手続補正２】
【補正対象書類名】明細書
【補正対象項目名】０００１
【補正方法】変更
【補正の内容】
【０００１】
関連出願
本出願は、２０１０年８月２７日付の米国仮特許出願第６１／３７７，６３９号の優先権の利益を主張し、この米国特許仮出願の全内容が、ここでの言及によって本明細書に援用される。
本発明は、頭蓋内出血の治療のための方法および装置に関し、さらに具体的には、超音波を用いた頭蓋内出血の治療のための方法および装置に関する。
【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
複数の壁と、少なくとも１つの開口部とを有するハウジングと、
前記ハウジング内の開口部に接続されるセンサーと、
を備え、前記センサーは、
第１の寸法を有する第１の層と、
前記第１の寸法より短い第２の寸法を有する第２の層と、
を備え、前記第２の層は前記ハウジング内に完全に位置決めされ、前記第１の層の表面は前記ハウジングの外部に露出している、回路。
【請求項２】
前記センサーは圧力センサーである、請求項１に記載の回路。
【請求項３】
前記圧力センサーは容量性圧力センサーである、請求項２に記載の回路。
【請求項４】
前記センサーは、前記ハウジングを密封するように、前記開口部に接続される、請求項１に記載の回路。
【請求項５】
前記第１の層の第２の表面は前記ハウジング内部からアクセス可能である、請求項１に記載の回路。
【請求項６】
前記第１の層、前記第２の層及び前記ハウジングは、ガラス、シリコン又はセラミックのいずれかの組み合わせから構成される、請求項１に記載の回路。
【請求項７】
前記第２の層内に電気的コンタクト及びインターコネクトの少なくとも一つを更に備える、請求項１に記載の回路。
【請求項８】
前記電気的コンタクトは前記センサーと接触している、請求項７に記載の回路。
【請求項９】
前記第１の層又は前記第２の層上に１つ又は複数の電気的コンタクトを更に備え、該１つ又は複数の電気的コンタクトはアンテナと接触している、請求項１に記載の回路。
【請求項１０】
前記アンテナは前記ハウジング内に位置する、請求項９に記載の回路。
【請求項１１】
アンテナ軸は前記ハウジングの少なくとも１つの壁に対して実質的に平行である、請求項９に記載の回路。
【請求項１２】
前記ハウジングの前記少なくとも１つの側壁は、前記ハウジングの残りの壁より実質的に薄い、請求項１に記載の回路。
【請求項１３】
前記回路は血管内に埋め込まれるように構成される、請求項１に記載の回路。
【請求項１４】
前記ハウジングは、液体、ゲル、真空、不活性ガス又は空気を含む群から選択される材料で満たされる、請求項１に記載の回路。
【請求項１５】
前記センサーの反対側において前記ハウジングに取り付けられる壁を更に備える、請求項１に記載の回路。
【手続補正書】
【提出日】平成29年7月31日(2017.7.31)
【手続補正１】
【補正対象書類名】特許請求の範囲
【補正対象項目名】全文
【補正方法】変更
【補正の内容】
【特許請求の範囲】
【請求項１】
電極部を有しておりパッケージされた実装用電子部品を複数用いて遊技にかかる制御が実行されうる特定制御部を備え、遊技に応じた演出表示にて特別の表示態様が現れた場合、特典の付与が行われうる遊技機であって、
前記複数の実装用電子部品には、ディスクリート部品と集積回路部品とが含まれており、
前記特定制御部には、パターン配線が形成された基板内に実装用電子部品に設けられた電極部が挿入されるかたちで半田付けにより実装された挿入実装領域と、パターン配線が形成された基板の表面上に実装用電子部品に設けられた電極部が置かれるかたちで半田付けにより実装された表面実装領域とが設けられており、
前記特定制御部には、パターン配線が形成された基板内に実装用電子部品に設けられた電極部が挿入されるかたちで半田付けにより実装された挿入実装領域と、パターン配線が形成された基板の表面上に実装用電子部品に設けられた電極部が置かれるかたちで半田付けにより実装された表面実装領域とが設けられており、
さらに、前記特定制御部は、前記挿入実装領域と前記表面実装領域とのうち前記表面実装領域が形成されて該表面実装領域に前記複数の実装用電子部品のうち一の種類のディスクリート部品のみが半田付けにより実装された特定基板を有しており、
前記一の種類のディスクリート部品は、前記挿入実装領域に設けられた隣接する特定の挿入孔のピッチ内に収まる大きさであるにもかかわらず、前記特定基板に形成された前記表面実装領域のうちパターン配線が形成されている部分に対して前記実装用電子部品としての電極部が半田付けされることにより実装された状態で前記特定基板共々にモールドされることにより、前記隣接する特定の挿入孔のピッチ内に収まらない大きさをもった一の実装用電子部品としての外観形状を有し、
さらに、前記特定基板は、当該特定基板から外側へと延びてこれとは別の基板上に設けられている前記挿入実装領域に挿入可能とされるように形成された特殊挿入実装用リード部を有しており、該特殊挿入実装用リード部が前記挿入実装領域に挿入されるかたちで半田付けにより実装されることで、前記別の基板上に設けられている前記挿入実装領域に半田付けにより実装された実装用電子部品との間で前記一の種類のディスクリート部品が電気的に接続されるようになっており、
さらに、前記特定制御部は、前記挿入実装領域が形成された基板を複数有しており、それら基板には、前記特定基板の前記特殊挿入実装用リード部が半田付けにより実装されている基板と、前記特定基板が実装されていない基板とが含まれることを特徴とする遊技機。
【手続補正２】
【補正対象書類名】明細書
【補正対象項目名】０００６
【補正方法】変更
【補正の内容】
【０００６】
上記従来の遊技機では、遊技興趣の低下が懸念される。
【手続補正３】
【補正対象書類名】明細書
【補正対象項目名】０００８
【補正方法】変更
【補正の内容】
【０００８】
手段１：電極部を有しておりパッケージされた実装用電子部品を複数用いて遊技にかかる制御が実行されうる特定制御部を備え、遊技に応じた演出表示にて特別の表示態様が現れた場合、特典の付与が行われうる遊技機であって、前記複数の実装用電子部品には、ディスクリート部品と集積回路部品とが含まれており、前記特定制御部には、パターン配線が形成された基板内に実装用電子部品に設けられた電極部が挿入されるかたちで半田付けにより実装された挿入実装領域と、パターン配線が形成された基板の表面上に実装用電子部品に設けられた電極部が置かれるかたちで半田付けにより実装された表面実装領域とが設けられており、前記特定制御部には、パターン配線が形成された基板内に実装用電子部品に設けられた電極部が挿入されるかたちで半田付けにより実装された挿入実装領域と、パターン配線が形成された基板の表面上に実装用電子部品に設けられた電極部が置かれるかたちで半田付けにより実装された表面実装領域とが設けられており、さらに、前記特定制御部は、前記挿入実装領域と前記表面実装領域とのうち前記表面実装領域が形成されて該表面実装領域に前記複数の実装用電子部品のうち一の種類のディスクリート部品のみが半田付けにより実装された特定基板を有しており、前記一の種類のディスクリート部品は、前記挿入実装領域に設けられた隣接する特定の挿入孔のピッチ内に収まる大きさであるにもかかわらず、前記特定基板に形成された前記表面実装領域のうちパターン配線が形成されている部分に対して前記実装用電子部品としての電極部が半田付けされることにより実装された状態で前記特定基板共々にモールドされることにより、前記隣接する特定の挿入孔のピッチ内に収まらない大きさをもった一の実装用電子部品としての外観形状を有し、さらに、前記特定基板は、当該特定基板から外側へと延びてこれとは別の基板上に設けられている前記挿入実装領域に挿入可能とされるように形成された特殊挿入実装用リード部を有しており、該特殊挿入実装用リード部が前記挿入実装領域に挿入されるかたちで半田付けにより実装されることで、前記別の基板上に設けられている前記挿入実装領域に半田付けにより実装された実装用電子部品との間で前記一の種類のディスクリート部品が電気的に接続されるようになっており、さらに、前記特定制御部は、前記挿入実装領域が形成された基板を複数有しており、それら基板には、前記特定基板の前記特殊挿入実装用リード部が半田付けにより実装されている基板と、前記特定基板が実装されていない基板とが含まれることを特徴とする遊技機。
【手続補正４】
【補正対象書類名】明細書
【補正対象項目名】０００９
【補正方法】削除
【補正の内容】
【手続補正書】
【提出日】平成29年6月1日(2017.6.1)
【手続補正１】
【補正対象書類名】特許請求の範囲
【補正対象項目名】全文
【補正方法】変更
【補正の内容】
【特許請求の範囲】
【請求項１】
狂犬病ウイルス（ＲＶ）糖タンパク質（Ｇタンパク質）を含むミセルの製造方法であって、前記Ｇタンパク質が三量体を形成し、
（ａ）ＲＶ  Ｇタンパク質をコードする核酸を含むバキュロウイルスベクターでＳｆ９昆虫宿主細胞を形質転換する工程と、
（ｂ）前記核酸を発現するように、前記宿主細胞を培養する工程と、
（ｃ）ＮＰ−９洗浄剤の存在下、前記ＲＶ  Ｇタンパク質をミセルの形態で精製する工程と、
を含む、方法。
【請求項２】
前記核酸が、前記宿主細胞における発現のためにコドン最適化されている、請求項１に記載の方法。
【請求項３】
前記ＲＶ  Ｇタンパク質が配列番号２の配列を含む、請求項１または２に記載の方法。
【請求項４】
前記ＲＶ  Ｇタンパク質がヒト、イヌ、コウモリ、アライグマ、スカンク、およびキツネから選択されるＲＶ株由来である、請求項１〜３のいずれか一項に記載の方法。
【請求項５】
ワクチンまたは抗原性組成物の製造方法であって、請求項１〜４のいずれか一項に記載の方法によって、狂犬病ウイルス糖タンパク質を含むミセルを製造する工程と、さらに前記ミセルの有効用量を組成物に添加することによって、前記ミセルをワクチンまたは抗原性組成物に製剤化する工程と、を含む方法。
【請求項６】
前記組成物が、薬学的に許容される担体、希釈剤または賦形剤を含む、請求項５に記載の方法。
【請求項７】
前記組成物がアジュバントを含む、請求項５または６に記載の方法。
【請求項８】
前記アジュバントがアルミニウムアジュバントである、請求項７に記載の方法。
【請求項９】
前記ミセルが、宿主において抗Ｇタンパク質抗体の産生を増加することができる、請求項１に記載の方法。
【請求項１０】
前記抗Ｇタンパク質抗体が中和抗体である、請求項９に記載の方法。
【請求項１１】
前記抗Ｇタンパク質抗体が防御抗体である、請求項９に記載の方法。
【請求項１２】
単一用量の投与後に、前記ミセルが、宿主において抗Ｇタンパク質抗体の産生を誘導することができる、請求項９に記載の方法。
【請求項１３】
前記ミセルが、７日間で、血清防御力価を提供することができる、請求項９に記載の方法。
【手続補正書】
【提出日】平成29年8月2日(2017.8.2)
【手続補正１】
【補正対象書類名】特許請求の範囲
【補正対象項目名】全文
【補正方法】変更
【補正の内容】
【特許請求の範囲】
【請求項１】
始動条件の成立に基づいて図柄の変動表示を行い、該変動表示の結果に基づいて遊技利益を付与する遊技機において、
前記図柄の変動表示が行われる図柄表示部を有する遊技盤と、
前記図柄表示部を視認可能にする窓部よりも前方に突出した位置に設けられ、通常状態と、該通常状態よりも特定装飾が視認容易になるように上昇する上昇状態とに変化可能な可動装飾演出部と、
前記可動装飾演出部が前記通常状態にあるときに、前記特定装飾の少なくとも一部を透かして遊技者に視認可能にする透かし部と、
を備え、
前記可動装飾演出部が前記上昇状態になると、前記透かし部よりも上方で前記特定装飾が視認可能になる
ことを特徴とする遊技機。
【手続補正２】
【補正対象書類名】明細書
【補正対象項目名】０００６
【補正方法】変更
【補正の内容】
【０００６】
上記の目的を達成するため本発明は、
始動条件の成立に基づいて図柄の変動表示を行い、該変動表示の結果に基づいて遊技利益を付与する遊技機において、
前記図柄の変動表示が行われる図柄表示部を有する遊技盤と、
前記図柄表示部を視認可能にする窓部よりも前方に突出した位置に設けられ、通常状態と、該通常状態よりも特定装飾が視認容易になるように上昇する上昇状態とに変化可能な可動装飾演出部と、
前記可動装飾演出部が前記通常状態にあるときに、前記特定装飾の少なくとも一部を透かして遊技者に視認可能にする透かし部と、
を備え、
前記可動装飾演出部が前記上昇状態になると、前記透かし部よりも上方で前記特定装飾が視認可能になる
ことを特徴とする。
【手続補正３】
【補正対象書類名】明細書
【補正対象項目名】０００７
【補正方法】変更
【補正の内容】
【０００７】
従来にない遊技の演出を行うことができるため、遊技の興趣を増大させることができる。
【手続補正書】
【提出日】平成29年4月11日(2017.4.11)
【手続補正１】
【補正対象書類名】特許請求の範囲
【補正対象項目名】全文
【補正方法】変更
【補正の内容】
【特許請求の範囲】
【請求項１】
始動条件が成立することにより遊技者にとって有利な特別遊技状態に移行させるか否かの特別遊技判定を行う特別遊技判定手段と、
遊技者が操作入力を行うことが可能な操作入力手段と、
前記操作入力手段に対する操作に応じて所定の演出を進行させる進行演出を所定の演出手段に行わせる演出制御手段と、
を備え、
前記演出制御手段は、
前記特別遊技判定の結果に基づいて、前記進行演出が最終段階まで進行する期待度を示唆する示唆演出を行わせる示唆演出制御手段と、
前記操作入力手段に対する第１の操作を受け付けたことに応じて予め定めた第１の段階まで前記進行演出を進行させ、前記第１の操作を受け付けなかった場合には前記進行演出を前記第１の段階まで進行させない第１段階演出を行わせる第１段階演出制御手段と、
前記第１段階演出の後に、前記操作入力手段に対する第２の操作を受け付けたことに応じて、前記進行演出が前記第１の段階まで進行しているか否かにかかわらず、前記進行演出が前記最終段階まで進行したことを示す第１の画像を表示する成功演出及び前記第１の画像とは異なる画像であって前記最終段階まで進行しなかったことを示す第２の画像を表示する失敗演出のいずれか一方を行わせる第２段階演出制御手段と、
を有し、
前記第１段階演出において前記進行演出が進行し得る前記第１の段階は、前記特別遊技判定の結果が前記特別遊技状態へ移行させるものである場合に、前記特別遊技状態へ移行させるものでない場合よりも前記最終段階に近づいた段階となるように定められ、
前記第１段階演出制御手段は、前記第１段階演出において、前記操作入力手段に対する前記第１の操作を複数回受け付け、前記第１の操作を受け付けることに応じて前記進行演出を予め定められた段階ずつ進行させていくことにより、前記進行演出を前記第１の段階まで進行させることが可能であり、
前記第２段階演出制御手段は、前記特別遊技判定の結果が前記特別遊技状態に移行させる場合、前記特別遊技判定の結果が前記特別遊技状態に移行させない場合よりも高確率で前記成功演出を行わせることを特徴とする遊技機。
【手続補正２】
【補正対象書類名】明細書
【補正対象項目名】０００６
【補正方法】変更
【補正の内容】
【０００６】
上記目的を達成するため、請求項１に係る発明は、遊技機(1)であって、始動条件が成立することにより遊技者にとって有利な特別遊技状態に移行させるか否かの特別遊技判定を行う特別遊技判定手段(52)と、遊技者が操作入力を行うことが可能な操作入力手段(6)と、前記操作入力手段(6)に対する操作に応じて所定の演出を進行させる進行演出を所定の演出手段(12,13,14)に行わせる演出制御手段(33)と、を備え、前記演出制御手段(33)は、前記特別遊技判定の結果に基づいて、前記進行演出が最終段階まで進行する期待度を示唆する示唆演出を行わせる示唆演出制御手段(74)と、前記操作入力手段(6)に対する第１の操作を受け付けたことに応じて予め定めた第１の段階まで前記進行演出を進行させ、前記第１の操作を受け付けなかった場合には前記進行演出を前記第１の段階まで進行させない第１段階演出を行わせる第１段階演出制御手段(75)と、前記第１段階演出の後に、前記操作入力手段(6)に対する第２の操作を受け付けたことに応じて、前記進行演出が前記第１の段階まで進行しているか否かにかかわらず、前記進行演出が前記最終段階まで進行したことを示す第１の画像を表示する成功演出及び前記第１の画像とは異なる画像であって前記最終段階まで進行しなかったことを示す第２の画像を表示する失敗演出のいずれか一方を行わせる第２段階演出制御手段(76)と、を有し、前記第１段階演出において前記進行演出が進行し得る前記第１の段階は、前記特別遊技判定の結果が前記特別遊技状態へ移行させるものである場合に、前記特別遊技状態へ移行させるものでない場合よりも前記最終段階に近づいた段階となるように定められ、前記第１段階演出制御手段(75)は、前記第１段階演出において、前記操作入力手段(6)に対する前記第１の操作を複数回受け付け、前記第１の操作を受け付けることに応じて前記進行演出を予め定められた段階ずつ進行させていくことにより、前記進行演出を前記第１の段階まで進行させることが可能であり、前記第２段階演出制御手段(76)は、前記特別遊技判定の結果が前記特別遊技状態に移行させる場合、前記特別遊技判定の結果が前記特別遊技状態に移行させない場合よりも高確率で前記成功演出を行わせることを特徴とする構成である。
【手続補正書】
【提出日】平成29年3月2日(2017.3.2)
【手続補正１】
【補正対象書類名】特許請求の範囲
【補正対象項目名】全文
【補正方法】変更
【補正の内容】
【特許請求の範囲】
【請求項１】
１回分の投与量を前端から放出するための内部ピストン（２０）を有するシリンジと、
１回分の投与量が放出されるように前記ピストンを前記シリンジ内において前方に付勢する駆動手段と、を有する、１回分の投与量を注射する注射装置であって、
前記ピストンの前進ストロークの少なくとも後半部分において前方移動を助勢するように、磁力を前記ピストン（２０）に直接的又は間接的に付与する付与手段（５６）を備えることを特徴とする注射装置。
【請求項２】
ハウジング（１０）と、
針（１６）を前端に備えていて、前記針を介して１回分の投与量を放出するための内部ピストン（２０）をスライド可能に受容するボアを備えている概ね中空円筒状の本体を有するとともに、後方位置と前方限界位置との間を移動するように前記本体内に装着されるシリンジ（１２）と、
前方に移動するように解放可能であって、それにより前記シリンジが前方に移動されるとともに次いで１回分の投与量が放出されるようになっている、解放可能な駆動プランジャ（４８）と、
前記プランジャと前記シリンジの本体との間の荷重経路において作用する磁気結合部（５６，８０）と、を有する注射デバイスであって、
前記磁気結合部（５６，８０）は、前記プランジャの前方移動を前記シリンジの本体に伝達する一方、前記シリンジが前記前方限界位置又はその近傍に到達するときに降伏することで、前記プランジャの前端が前記シリンジのボア内で前記ピストンを前方に付勢して前記１回分の投与量を放出できるようにする、注射デバイス。
【請求項３】
前記磁気結合部は、前記シリンジと係合するとともに前記シリンジを前方に付勢するスラスト部材（８０）を有しており、
前記スラスト部材は、前記ピストンに作用する前端を有する前記プランジャと磁気的に結合（５６）される、請求項２に記載の注射デバイス。
【請求項４】
前記磁気結合部は、前記プランジャにおいて磁石又は磁化された部分（５６）を有するとともに、前記スラスト部材（８０）において強磁性部分を有する、請求項３に記載の注射デバイス。
【手続補正書】
【提出日】平成28年12月15日(2016.12.15)
【手続補正１】
【補正対象書類名】特許請求の範囲
【補正対象項目名】全文
【補正方法】変更
【補正の内容】
【特許請求の範囲】
【請求項１】
溶液中から少なくとも一部の溶媒を凍結させて分離する装置であって、
前記溶液に接する接触部材と、
前記接触部材に振動を与える加振部と、
前記接触部材を冷却することにより、前記溶媒を部分的に凍結させる冷却部と、
を備えることを特徴とする、凍結分離装置。
【請求項２】
前記接触部材が前記溶液の液面から前記溶液中に浸漬されることを特徴とする、請求項１に記載の凍結分離装置。
【請求項３】
前記接触部材が管状を呈しており、前記冷却部が該管内に冷えた液体又は気体を送ることを特徴とする、請求項１または２に記載の凍結分離装置。
【請求項４】
前記接触部材が、前記溶液を収容する容器の一部を構成していることを特徴とする、請求項１に記載の凍結分離装置。
【請求項５】
溶液中から少なくとも一部の溶媒を凍結させて分離する装置に用いられる部品であって、
前記溶液に接し、前記溶媒を部分的に凍結させるために冷却される接触部材と、
前記接触部材に振動を与える加振部と、
を備えることを特徴とする、凍結分離装置用部品。
【請求項６】
溶液中から少なくとも一部の溶媒を凍結させて分離する方法であって、
前記溶液に接触部材を接触させた状態で、前記接触部材に振動を与えつつ、前記接触部材を冷却することにより前記溶媒を部分的に凍結させることを特徴とする、凍結分離方法。
【請求項７】
前記溶液中から前記少なくとも一部の溶媒を分離することにより前記溶液を濃縮することを特徴とする、請求項６に記載の凍結分離方法。
【請求項８】
前記溶液中から前記少なくとも一部の溶媒を分離することにより前記溶媒の純度を高めることを特徴とする、請求項６に記載の凍結分離方法。
【手続補正２】
【補正対象書類名】明細書
【補正対象項目名】発明の名称
【補正方法】変更
【補正の内容】
【発明の名称】凍結分離装置、凍結分離装置用部品、および凍結分離方法
【手続補正３】
【補正対象書類名】明細書
【補正対象項目名】０００９
【補正方法】変更
【補正の内容】
【０００９】
上述した課題を解決するために、本発明による凍結分離装置は、溶液中から少なくとも一部の溶媒を凍結させて分離する装置であって、溶液に接する接触部材と、接触部材に振動を与える加振部と、接触部材を冷却することにより、溶媒を部分的に凍結させる冷却部とを備えることを特徴とする。
また、本発明による凍結分離装置用部品は、溶液中から少なくとも一部の溶媒を凍結させて分離する装置に用いられる部品であって、溶液に接し、溶媒を部分的に凍結させるために冷却される接触部材と、接触部材に振動を与える加振部と、を備えることを特徴とする。
【手続補正４】
【補正対象書類名】明細書
【補正対象項目名】００１１
【補正方法】変更
【補正の内容】
【００１１】
上記の凍結分離装置、凍結分離装置用部品および凍結分離方法によれば、接触部材との界面付近に生じる溶液の凍結部分の表面（凍結面）が、振動しながら非凍結部分と接する。これにより、凍結面近傍に存在する非凍結部分中の溶質が、凍結面から離れ易くなる。従って、撹拌や循環のみによる従来の方式と比較して、凍結面における溶質濃度を効果的に低下させながら凍結を進めることができるので、濃縮効率の向上（若しくは分離される溶媒の高純度化）が可能となる。
【手続補正書】
【提出日】平成29年1月27日(2017.1.27)
【手続補正１】
【補正対象書類名】特許請求の範囲
【補正対象項目名】全文
【補正方法】変更
【補正の内容】
【特許請求の範囲】
【請求項１】
遊技の進行を制御する遊技制御手段と、この遊技制御手段からのコマンドに基づいて表示手段を制御して演出を行うことが可能な演出制御手段を備えた遊技機において、
前記演出制御手段は、
前記表示手段において、演出用の飾り図柄を変動表示させる変動表示ゲームを実行可能であるとともに、前記演出用の飾り図柄よりも小さい変動状態報知図柄を同時に変動表示させることにより前記変動表示ゲームの実行中であることを示す表示と、当該遊技機で発生しているエラーを報知するエラーメッセージの表示と、を実行可能であり、
前記変動状態報知図柄の変動表示では、前記変動表示ゲームの結果が当りとなる場合に停止表示される当該変動状態報知図柄の当り図柄を構成する図柄だけを用いて変動表示を行い、
前記表示手段において前記エラーの報知を行う際には、前記エラーメッセージの表示を行う画像を、前記演出用の飾り図柄の画像より手前側に重なる位置、且つ前記変動状態報知図柄とは重ならない位置に表示し、
前記エラーメッセージを表示している背後で前記演出用の飾り図柄の変動表示を実行可能であることを特徴とする遊技機。
【手続補正２】
【補正対象書類名】明細書
【補正対象項目名】０００６
【補正方法】変更
【補正の内容】
【０００６】
請求項１に記載の発明は、
遊技の進行を制御する遊技制御手段と、この遊技制御手段からのコマンドに基づいて表示手段を制御して演出を行うことが可能な演出制御手段を備えた遊技機において、
前記演出制御手段は、
前記表示手段において、演出用の飾り図柄を変動表示させる変動表示ゲームを実行可能であるとともに、前記演出用の飾り図柄よりも小さい変動状態報知図柄を同時に変動表示させることにより前記変動表示ゲームの実行中であることを示す表示と、当該遊技機で発生しているエラーを報知するエラーメッセージの表示と、を実行可能であり、
前記変動状態報知図柄の変動表示では、前記変動表示ゲームの結果が当りとなる場合に停止表示される当該変動状態報知図柄の当り図柄を構成する図柄だけを用いて変動表示を行い、
前記表示手段において前記エラーの報知を行う際には、前記エラーメッセージの表示を行う画像を、前記演出用の飾り図柄の画像より手前側に重なる位置、且つ前記変動状態報知図柄とは重ならない位置に表示し、
前記エラーメッセージを表示している背後で前記演出用の飾り図柄の変動表示を実行可能であることを特徴とする。
【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
他のゲーム装置と、該他のゲーム装置とネットワークを介して接続が可能であり、プレイヤキャラクタをゲームフィールド上で移動させてゲームを進行させるゲーム装置とを備えるゲームシステムであって、
ゲーム装置が、
ゲーム進行時に、他のゲーム装置によるゲームのゲームフィールド上に配置されるオブジェクトの位置として、対応するゲームフィールド上の位置を指定する位置指定手段と、
位置指定手段により指定された位置に関する情報を送信する位置情報送信手段と、
ゲームフィールド上にオブジェクトを配置したことで発生するイベントに応じて、ゲーム装置を操作するプレイヤ、又は該プレイヤに対応するプレイヤキャラクタに特典を付与する特典付与手段と
を備えるゲームシステム。
【請求項２】
他のゲーム装置が、
指定された位置に関する情報を受信する位置情報受信手段と、
位置情報受信手段により受信した情報にしたがって、ゲーム装置において指定された位置に対応するゲームフィールド上の位置に、オブジェクトを配置するオブジェクト配置手段と、
オブジェクト配置手段によりオブジェクトが配置された位置に基づいて、イベントを発生させるイベント発生手段と
を備える、請求項１に記載のゲームシステム。
【請求項３】
前記イベントが、他のゲーム装置に対応するプレイヤキャラクタによる仮想戦闘であることを特徴とする請求項１又は２に記載のゲームシステム。
【請求項４】
プレイヤキャラクタをゲームフィールド上で移動させて進行するゲームを、コンピュータ装置に実行させるゲームプログラムであって、
コンピュータ装置を、
ゲーム進行時に、一のプレイヤに対応するゲームのゲームフィールド上に配置されるオブジェクトの位置として、前記一のプレイヤとは別のプレイヤの指示に基づいて対応するゲームフィールド上の位置を指定する位置指定手段と、
位置指定手段により指定された位置に関する情報を、一のプレイヤに対応する他のコンピュータ装置に送信する位置情報送信手段と、
ゲームフィールド上にオブジェクトを配置したことで発生するイベントに応じて、前記別のプレイヤ、又は前記別のプレイヤに対応するプレイヤキャラクタに特典を付与する特典付与手段
として機能させるゲームプログラム。
【請求項５】
他のゲーム装置と、該他のゲーム装置とネットワークを介して接続が可能であり、プレイヤキャラクタをゲームフィールド上で移動させてゲームを進行させるゲーム装置とを備えるゲームシステムにおいて実行されるゲーム実行方法であって、
ゲーム装置において、
ゲーム進行時に、他のゲーム装置によるゲームのゲームフィールド上に配置されるオブジェクトの位置として、対応するゲームフィールド上の位置を指定するステップと、
指定された位置に関する情報を送信するステップと、
ゲームフィールド上にオブジェクトを配置したことで発生するイベントに応じて、ゲーム装置を操作するプレイヤ、又は該プレイヤに対応するプレイヤキャラクタに特典を付与するステップと
を有するゲーム実行方法。
【手続補正書】
【提出日】平成29年7月14日(2017.7.14)
【手続補正１】
【補正対象書類名】特許請求の範囲
【補正対象項目名】全文
【補正方法】変更
【補正の内容】
【特許請求の範囲】
【請求項１】
遊技を行う遊技機であって、
表示領域を有する表示装置と、
第１位置と当該第１位置とは異なる第２位置との間を移動可能な可動部材と、
異常を検出する異常検出手段と、
前記異常検出手段が前記異常を検出したことに応じて、当該異常が発生したことを報知する異常報知画像を前記表示領域のうちの異常表示領域に表示させる異常表示制御を行う異常表示制御手段と、を備え、
前記可動部材は、少なくとも前記第１位置に位置するときに前記表示領域の一部を遊技者側から覆い、
前記異常表示領域は、前記第１位置に位置する前記可動部材によって少なくとも一部が覆われない領域であり、
前記異常表示制御手段は、前記可動部材が前記第１位置に移動するか否かに係わらず前記異常報知画像を前記異常表示領域に表示させ、
前記異常表示制御手段は、前記異常報知画像として、第１異常報知画像と当該第１異常報知画像よりも大きい第２異常報知画像とを、表示可能であり、
前記異常検出手段により検出される異常は、複数種類あり、その種類ごとに報知の優先順位が設定されている、
ことを特徴とする遊技機。
【手続補正２】
【補正対象書類名】明細書
【補正対象項目名】０００７
【補正方法】変更
【補正の内容】
【０００７】
この発明は、第２表示装置などの可動部材が第１位置に位置しても異常を報知する異常報知画像を視認させやすい遊技機を提供することを目的とする。
【手続補正３】
【補正対象書類名】明細書
【補正対象項目名】０００８
【補正方法】変更
【補正の内容】
【０００８】
（Ａ）上記目的を達成するため、本発明に係る遊技機は、
遊技を行う遊技機（例えば、パチンコ遊技機１など）であって、
表示領域を有する表示装置（例えば、画像表示装置５など）と、
第１位置と当該第１位置とは異なる第２位置との間を移動可能な可動部材（例えば、副画像表示装置５１、可動部材５９など）と、
異常を検出する異常検出手段（例えば、ステップＳ２１の処理を行うＣＰＵ１０３、ステップＳ７０１の処理を行う演出制御用ＣＰＵ１２０など）と、
前記異常検出手段が前記異常を検出したことに応じて、当該異常が発生したことを報知する異常報知画像（例えば、異常報知画像など）を前記表示領域のうちの異常表示領域に表示させる異常表示制御を行う異常表示制御手段（例えば、ステップＳ７０４の処理を行う演出制御用ＣＰＵ１２０など）と、を備え、
前記可動部材は、少なくとも前記第１位置に位置するときに前記表示領域の一部を遊技者側から覆い（例えば、図２３、図２４、図３０などを参照）、
前記異常表示領域は、前記第１位置に位置する前記可動部材によって少なくとも一部が覆われない領域であり（例えば、図２３、図２４、図３０などを参照）、
前記異常表示制御手段は、前記可動部材が前記第１位置に移動するか否かに係わらず前記異常報知画像を前記異常表示領域に表示させ（例えば、図２３、図２４、図３０などを参照）、
前記異常表示制御手段は、前記異常報知画像として、第１異常報知画像と当該第１異常報知画像よりも大きい第２異常報知画像とを、表示可能であり（例えば、図２３、図２４などを参照）、
前記異常検出手段により検出される異常は、複数種類あり、その種類ごとに報知の優先順位が設定されている（例えば、異常の報知では、優先順位の高い異常が優先して報知されるようになっているなど）、
ことを特徴とする。
上記のような構成によれば、異常報知画像を視認させやすい。
【手続補正４】
【補正対象書類名】明細書
【補正対象項目名】０００９
【補正方法】変更
【補正の内容】
【０００９】
（１）参考例に係る遊技機は、
遊技を行う遊技機（例えば、パチンコ遊技機１など）であって、
第１表示領域を有する第１表示装置（例えば、画像表示装置５など）と、
第２表示領域を有し、第１位置と当該第１位置とは異なる第２位置との間を移動する第２表示装置（例えば、副画像表示装置５１など）と、
当該遊技機において発生した異常を検出する異常検出手段（例えば、ステップＳ２１の処理を行うＣＰＵ１０３、ステップＳ７０１の処理を行う演出制御用ＣＰＵ１２０など）と、
前記異常検出手段が前記異常を検出したことに応じて、当該異常が発生したことを示す異常情報（例えば、異常報知画像など）を前記第１表示領域のうちの異常表示領域に表示させる異常表示制御を行う異常表示制御手段（例えば、ステップＳ７０４の処理を行う演出制御用ＣＰＵ１２０など）と、を備え、
前記第２表示装置は、少なくとも前記第１位置に位置するときに前記第１表示領域の一部を遊技者側から覆い（例えば、図２３、図２４などを参照）、
前記異常表示領域は、前記第１位置に位置する前記第２表示装置によって覆われない領域であり（例えば、図２３、図２４などを参照）、
前記異常表示制御手段は、前記第２表示装置が前記第１位置に移動するか否かに係わらず前記異常情報を前記異常表示領域に表示させ（例えば、図２３、図２４などを参照）、
前記第１表示領域の方が、前記第２表示領域よりも広く（例えば、図２３、図２４などを参照）、
前記第２表示装置は、前記第１位置に位置するときかつ前記異常表示領域に前記異常情報が表示されているときに、前記第２表示領域に演出画像を表示可能である（例えば、図２３、図２４などを参照）、
ことを特徴とする。
上記のような構成によれば、第１位置に第２表示装置があっても異常情報を視認させやすい。
【手続補正書】
【提出日】平成29年10月4日(2017.10.4)
【手続補正１】
【補正対象書類名】特許請求の範囲
【補正対象項目名】全文
【補正方法】変更
【補正の内容】
【特許請求の範囲】
【請求項１】
本体装置に設けられる保持機構によって着脱可能に保持され、該本体装置を無線で操作するための操作装置であって、
前記保持機構に備えられた磁石を感知することで、前記操作装置が前記保持機構に装着されている状態であることを検出する検出部を備えることを特徴とする、操作装置。
【請求項２】
前記保持機構から取り外された状態で、所定の条件となったことを検出すると、報知動作を行う制御部を備えることを特徴とする、請求項１に記載の操作装置。
【請求項３】
前記制御部は、前記保持機構から取り外された状態が所定時間継続したことを前記所定の条件として検出すると、前記報知動作を行うことを特徴とする、請求項２に記載の操作装置。
【請求項４】
前記制御部は、警告音によって前記報知動作を行うことを特徴とする、請求項２または３に記載の操作装置。
【請求項５】
前記制御部は、前記報知動作と同時または前記報知動作後に、前記操作を無効に設定することを特徴とする、請求項２〜４のいずれか一項に記載の操作装置。
【請求項６】
前記制御部は、前記操作を無効に設定した後に当該操作装置が前記保持機構に再装着されることにより、前記操作の無効状態を解除することを特徴とする、請求項５に記載の操作装置。
【請求項７】
前記制御部は、前記所定時間が経過する前に、前記操作を検出すると、前記保持機構から取り外された状態の時間の計測をリセットすることを特徴とする、請求項３に記載の操作装置。
【請求項８】
前記保持機構または前記本体装置と無線で通信する通信部をさらに備え、
前記制御部は、前記保持機構または前記本体装置との通信が途絶えた場合に、前記報知動作を行うことを特徴とする、請求項２〜７のいずれか一項に記載の操作装置。
【請求項９】
請求項１〜８のいずれか一項に記載の操作装置と、
前記本体装置として、Ｘ線を検出してＸ線画像を生成するＸ線撮影装置と、を備えることを特徴とする、Ｘ線撮影ユニット。
【請求項１０】
本体装置に設けられる保持機構によって着脱可能に保持され、該本体装置を無線で操作するための操作装置において実行される制御方法であって、
前記保持機構に備えられた磁石を感知することで、前記操作装置が前記保持機構に装着されている状態であることを検出する検出ステップを含むことを特徴とする、制御方法。
【請求項１１】
前記保持機構から取り外された状態が所定の条件となったことを検出すると、報知動作を行うステップを含むことを特徴とする、請求項１０に記載の制御方法。
【手続補正２】
【補正対象書類名】明細書
【補正対象項目名】発明の名称
【補正方法】変更
【補正の内容】
【発明の名称】操作装置、制御方法およびＸ線撮影ユニット
【手続補正３】
【補正対象書類名】明細書
【補正対象項目名】０００７
【補正方法】変更
【補正の内容】
【０００７】
本発明の操作装置は、本体装置に設けられる保持機構によって着脱可能に保持され、該本体装置を無線で操作するための操作装置であって、前記保持機構に備えられた磁石を感知することで、前記操作装置が前記保持機構に装着されている状態であることを検出する検出部を備える。
本発明の制御方法は、本体装置に設けられる保持機構によって着脱可能に保持され、該本体装置を無線で操作するための操作装置において実行される制御方法であって、前記保持機構に備えられた磁石を感知することで、前記操作装置が前記保持機構に装着されている状態であることを検出する検出ステップを含む。
上記の課題を解決するために、本発明の操作装置は、本体装置に設けられる保持機構によって着脱可能に保持され、該本体装置を無線で操作するための操作装置であって、前記保持機構から取り外された状態で所定の条件となったことを検出すると、報知動作を行う制御部を備える。
【手続補正書】
【提出日】平成29年5月19日(2017.5.19)
【手続補正１】
【補正対象書類名】特許請求の範囲
【補正対象項目名】全文
【補正方法】変更
【補正の内容】
【特許請求の範囲】
【請求項１】
多能性でない体細胞を多能性細胞へ再プログラミングする方法であって、
（ａ）多能性でない体細胞を、外因的に導入したＯｃｔ−４、Ｓｏｘ−２およびＫｌｆと接触させる工程；ならびに
（ｂ）該細胞を、該細胞の増殖に適切な条件下で該細胞の再プログラミングの開始に十分な期間維持する工程
を含み、
該再プログラミングされた細胞は（ｉ）内因性Ｏｃｔ４およびＮａｎｏｇを発現し、（ｉｉ）ＳＣＩＤマウスに注射した場合に内胚葉、中胚葉、および外胚葉の特徴を有する組織に分化し、（ｉｉｉ）内因性多能性遺伝子に作動可能に連結された選択マーカーを含有しない、方法。
【請求項２】
外因性Ｏｃｔ−４、Ｓｏｘ−２およびＫｌｆポリペプチドまたはポリヌクレオチドが前記細胞に導入される、請求項１に記載の方法。
【請求項３】
工程（ｂ）が、前記細胞を、５−アザ−シチジン、トリコスタチンＡ（ＴＳＡ）、およびバルプロ酸からなる群から選択される再プログラミング薬とともに維持する工程をさらに含む、請求項１に記載の方法。
【請求項４】
前記再プログラミング薬と共に培養された前記細胞のうちの少なくとも５０％が、ＤＮＡ脱メチル化に耐性を示す、請求項３に記載の方法。
【請求項５】
前記再プログラミング薬と共に培養された前記細胞が、ＤＮＡメチルトランスフェラーゼＩの発現を少なくとも５０％減少させる、請求項３に記載の方法。
【請求項６】
前記多能性でない体細胞が部分的に分化した細胞または完全に分化した細胞である、請求項１に記載の方法。
【請求項７】
外因性Ｏｃｔ−４、Ｓｏｘ−２およびＫｌｆポリヌクレオチドが前記細胞に導入される、請求項２に記載の方法。
【請求項８】
前記外因的に導入されたポリヌクレオチドがｃ−Ｍｙｃをコードしない、請求項７に記載の方法。
【請求項９】
前記外因的に導入されたポリヌクレオチドがトランスフェクションによって導入される、請求項７に記載の方法。
【請求項１０】
前記外因的に導入されたポリヌクレオチドがウイルス感染によって導入される、請求項７に記載の方法。
【請求項１１】
前記外因的に導入されたポリヌクレオチドのうちの少なくとも１つを機能的に不活化する工程をさらに含む、請求項７に記載の方法。
【請求項１２】
前記細胞に部位特異的リコンビナーゼを導入することまたは該細胞に部位特異的リコンビナーゼを発現させることによって、前記外因的に導入されたポリヌクレオチドの少なくとも一部を切り出す工程をさらに含む、請求項７に記載の方法。
【請求項１３】
請求項１〜１２のいずれか１項に記載の方法から得られた単離されたヒト多能性細胞の精製調製物。
【請求項１４】
前記細胞が遺伝的に改変されていない、請求項１３に記載の細胞の精製調製物。
【請求項１５】
前記細胞が少なくとも１つの遺伝子改変を含む、請求項１３に記載の細胞の精製調製物。
【請求項１６】
前記細胞が細胞療法を必要とする個体にとって自源性または異質遺伝子性である、請求項１３に記載の細胞の精製調製物。
【手続補正書】
【提出日】平成29年4月13日(2017.4.13)
【手続補正１】
【補正対象書類名】特許請求の範囲
【補正対象項目名】全文
【補正方法】変更
【補正の内容】
【特許請求の範囲】
【請求項１】
変動表示を行ない、遊技者にとって有利な有利状態に制御可能な遊技機であって、
未だ開始されていない変動表示に関する情報を複数種類の表示態様のうちのいずれかの表示態様で保留表示として表示可能な保留表示手段と、
前記保留表示手段により表示されている保留表示の表示態様を変化可能であり、特定変化条件が成立した特定保留表示以前に表示されている保留表示について、特定表示態様に変化させることが可能な保留表示変化手段と、
前記保留表示変化手段により前記特定表示態様に関連した変化関連演出を、前記特定保留表示に対応する変動表示が実行される前から実行可能な変化関連演出実行手段とを備え、
前記変化関連演出実行手段は、前記変化関連演出を実行するときにおいて、複数種類の演出結果のうちから選択された演出結果を実行可能であり、前記特定保留表示に対応する変動表示に基づいて前記有利状態に制御されるか否かに応じて、演出結果の種類の選択割合が異なる、遊技機。
【手続補正２】
【補正対象書類名】明細書
【補正対象項目名】０００７
【補正方法】変更
【補正の内容】
【０００７】
（１）  変動表示を行ない、遊技者にとって有利な有利状態（大当り遊技状態等）に制御可能な遊技機（パチンコ遊技機１等）であって、
未だ開始されていない変動表示に関する情報を複数種類の表示態様のうちのいずれかの表示態様で保留表示として表示可能な保留表示手段（演出制御用マイクロコンピュータ１００、演出表示装置９および図１３のＳ７０７等）と、
前記保留表示手段により表示されている保留表示の表示態様を変化可能であり、特定変化条件が成立した（「特定表示態様の保留表示演出および変化関連演出例」に示す、保留表示を「ダーツ矢」に変化させる変化条件が成立した等）特定保留表示以前に表示されている保留表示について、特定表示態様（図２１（Ｃ）〜（Ｄ）の「ダーツ矢保留演出」で使用する「ダーツ矢」の表示態様）に変化させることが可能な保留表示変化手段（「特定表示態様の保留表示演出および変化関連演出例」に示す、演出制御用マイクロコンピュータ１００、図１５のＳ８０１，Ｓ８０２等）と、
前記保留表示変化手段により前記特定表示態様に関連した変化関連演出（図２１（Ｄ）〜（Ｆ）のダーツゲームを表示する「変化関連演出」等）を、前記特定保留表示に対応する変動表示が実行される前から実行可能な変化関連演出実行手段（「特定表示態様の保留表示演出および変化関連演出例」に示す、演出制御用マイクロコンピュータ１００、図１５のＳ８０１，Ｓ８０２等）とを備え、
前記変化関連演出実行手段は、前記変化関連演出を実行するときにおいて、複数種類の演出結果（「特定表示態様の保留表示演出および変化関連演出例」に示す、演出制御用マイクロコンピュータ１００に記憶された複数種類の得点等）のうちから選択された演出結果（図２１（Ｅ）の今回得点、および、図２１（Ｆ）の総合計の得点等の演出結果の表示）を実行可能であり（図２１（Ｅ），（Ｆ）等）、前記特定保留表示に対応する変動表示に基づいて前記有利状態に制御されるか否か（保留表示を「ダーツ矢」に変化させる変化条件が成立した特定保留表示に対応する変動表示が大当り表示結果となるか否か）に応じて、演出結果の種類の選択割合が異なる（大当り表示結果に決定されているときには、はずれ表示結果となるときと比べて、「変化関連演出」のダーツゲームで高得点の合計得点の結果が選択される割合が高くなるように演出結果決定テーブルのデータが設定されている等。）。